【手続補正書】
【提出日】平成18年5月11日(2006.5.11)
【手続補正１】
【補正対象書類名】特許請求の範囲
【補正対象項目名】全文
【補正方法】変更
【補正の内容】
【特許請求の範囲】
【請求項１】
ＯＦＤＭ方式を用いて生成された複数の異なる変調信号を、複数の異なるアンテナから同一周波数を用いて送信する送信方法であって、
各変調信号のデータシンボルは、時間軸において同一時刻に送信され、
受信装置で伝送路歪みを推定するためのシンボルの時間軸後方に前記データシンボルを配置し、
前記伝送路歪みを推定するためのシンボルより後に、受信装置で周波数オフセットを推定するためのシンボルを配置する送信方法。
【請求項２】
データシンボルを送信している全てのサブキャリアに同一時刻に受信装置で伝送路歪みを推定するためのシンボルを配置する請求項１記載の送信方法。
【請求項３】
伝送路歪みを推定するためのシンボルは、多重された信号を分離するためのシンボルである請求項１記載の送信方法。
【請求項４】
第１のキャリア群で一つのチャネルのシンボルを送信し、第２キャリア群で複数のチャネルのシンボルの変調信号をそれぞれ異なるアンテナから送信する送信方法。
【請求項５】
第１キャリア群と第２キャリア群が存在し、第１キャリア群および第２キャリア群において、一つのチャネルのシンボルを送信するフレーム構成と複数のチャネルのシンボルの変調信号をそれぞれ異なるアンテナから送信するフレーム構成を時間軸において切り替える送信方法。
【請求項６】
ＯＦＤＭ方式を用いて複数の異なる変調信号を生成する変調信号生成手段と、
前記複数の異なる変調信号を、複数の異なるアンテナから同一周波数を用いて送信する送信手段と、を具備し、
各変調信号のデータシンボルは、時間軸において同一時刻に送信され、
受信装置で伝送路歪みを推定するためのシンボルの時間軸後方に前記データシンボルを配置し、
前記伝送路歪みを推定するためのシンボルより後に、受信装置で周波数オフセットを推定するためのシンボルを配置する送信装置。
【請求項７】
データシンボルを送信している全てのサブキャリアに同一時刻に受信装置で伝送路歪みを推定するためのシンボルを配置する請求項６記載の送信装置。
【請求項８】
伝送路歪みを推定するためのシンボルは、多重された信号を分離するためのシンボルである請求項６記載の送信装置。
【請求項９】
第１のキャリア群で一つのチャネルのシンボルを送信し、第２キャリア群で複数のチャネルのシンボルの変調信号をそれぞれ異なるアンテナから送信する送信手段を具備する送信装置。
【請求項１０】
第１キャリア群と第２キャリア群が存在し、第１キャリア群および第２キャリア群において、一つのチャネルのシンボルを送信するフレーム構成と複数のチャネルのシンボルの変調信号をそれぞれ異なるアンテナから送信するフレーム構成を時間軸において切り替える送信手段を具備する送信装置。
【手続補正２】
【補正対象書類名】明細書
【補正対象項目名】発明の名称
【補正方法】変更
【補正の内容】
【発明の名称】送信方法およびそれを用いた送信装置
【手続補正３】
【補正対象書類名】明細書
【補正対象項目名】０００１
【補正方法】変更
【補正の内容】
【０００１】
本発明は、送信方法およびそれを用いた送信装置に関する。
【手続補正４】
【補正対象書類名】明細書
【補正対象項目名】０００９
【補正方法】変更
【補正の内容】
【０００９】
本発明はかかる点に鑑みてなされたものであり、データの伝送速度、伝送品質の両立を図ることのできる送信方法およびそれを用いた送信装置を提供することを目的とする。
【手続補正５】
【補正対象書類名】明細書
【補正対象項目名】００１０
【補正方法】変更
【補正の内容】
【００１０】
本発明の送信方法は、ＯＦＤＭ方式を用いて生成された複数の異なる変調信号を、複数の異なるアンテナから同一周波数を用いて送信する送信方法であって、各変調信号のデータシンボルは、時間軸において同一時刻に送信され、受信装置で伝送路歪みを推定するためのシンボルの時間軸後方に前記データシンボルを配置し、前記伝送路歪みを推定するためのシンボルより後に、受信装置で周波数オフセットを推定するためのシンボルを配置するようにした。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
本発明の送信装置は、ＯＦＤＭ方式を用いて複数の異なる変調信号を生成する変調信号生成手段と、前記複数の異なる変調信号を、複数の異なるアンテナから同一周波数を用いて送信する送信手段と、を具備し、各変調信号のデータシンボルは、時間軸において同一時刻に送信され、受信装置で伝送路歪みを推定するためのシンボルの時間軸後方に前記データシンボルを配置し、前記伝送路歪みを推定するためのシンボルより後に、受信装置で周波数オフセットを推定するためのシンボルを配置する構成を採る。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】変更
【補正の内容】
【００２７】
本発明によれば、周波数、時間により、通信方式の１つの変調信号を送信する方法、通信方式の複数の変調信号を多重し、送信する方法、のいずれかにより構成することで、通信方式の１つの変調信号を送信する方法で、重要度の高い情報を伝送することで、通信相手は的確に情報を得ることが可能となるといった効果を有する。また、通信状況により、通信方式の１つの変調信号を送信する方法の周波数または時間、通信方式の複数の変調信号を多重し、送信する方法の周波数または時間により通信を行うことで、情報の伝送速度、伝送品質を両立することができるという効果を有する。